(57)【要約】【課題】  この発明は、締付金具の形状構造を簡易化し、その低廉化を目的としたものである。【解決手段】  この発明は、端子台に、端子片及び締付金具を順次組付け固定した後、締付金具のねじ孔にねじを取付けることを特徴とした端子盤の組立方法により、目的を達成した。【選択図】              図１
2006338988.tif 000002
【特許請求の範囲】
【請求項１】
端子台に、端子片及び締付金具を順次組付け固定した後、締付金具のねじ孔にねじを取付けることを特徴とした端子盤の組立方法。
【請求項２】
締付金具は、座金の一側に、スプリングとの掛止片を取付けたことを特徴とする請求項１記載の端子盤の組立方法。
【請求項３】
金属板の中央部にねじ孔を設け、ねじ孔の内周縁に、ねじと掛止する複数の突片を設け、前記金属板の一側へ、下向直角の案内片を設けると共に、該案内片に、スプリング当接部と、前記金属板の上昇規制用の突起を設けたことを特徴とする請求項１で使用される締付金具。
【請求項４】
ねじ孔の突片は２〜４個とし、該突片をねじの回転挿入を容易にすべく螺旋状に配置したことを特徴とする請求項３記載の締付金具。
【発明の詳細な説明】
【技術分野】
【０００１】
この発明は、端子盤の組立てを合理化することにより、締付金具の製造を容易かつ低廉にすることを目的とした端子盤の組立方法及び締付金具に関する。
【背景技術】
【０００２】
従来端子盤に固定される各種金具は、夫々別製され、ねじも取付けられてから端子台の各部へ組付けられる組立方法が一般的に採用されていた。
【０００３】
特に近来端子盤に固定される金具の構造が複雑になると、金具の組立てを完了し、その状態で端子台に組付け固定して端子盤が製造されていた。
【０００４】
またねじは、金具に取付けた部品として供給されていたので、金具の自動製造装置は複雑であり、型も高価であった。
【特許文献１】特開平５−１２１１１１
【発明の開示】
【発明が解決しようとする課題】
【０００５】
前記従来の締付金具は、ねじ付き状態で端子台へ組込まれているが、締付金具の一部に、スプリングに当接対応して、締付ける構造の金具は、製造型が複雑で高価になるので、型代の消却上生産量が多量（例えば３０万個以上）にならなければ、締付金具の単価が高くなる問題点があった。
【０００６】
例えば自動多量生産で１個５円でできる締付金具が、締付金具とねじを人手により組付けることによって、１個２０円以上の値段となることもあった（人件費が入る為）。
【０００７】
前記事情により、締付金具としての性能が良好であっても、数がまとまらなければ採用できない問題点があった。又は採用によって端子盤の単価が高騰する問題点があった。
【課題を解決するための手段】
【０００８】
この発明は、座金に、スプリング対応突片を有するねじ付き締付金具を使用する場合に、ねじを取り外して（ねじ無し）、端子台に組み付け、その後ねじを取付けることにより、製造型の簡易化が可能になり、前記従来の問題点を解決したのである。
【０００９】
即ちこの発明は、端子台に、端子片及び締付金具を順次組付け固定した後、締付金具のねじ孔にねじを取付けることを特徴とした端子盤の組立方法であり、締付金具は、座金の一側に、スプリングとの掛止片を取付けたものである。
【００１０】
また金具の発明は、金属板の中央部にねじ孔を設け、ねじ孔の内周縁に、ねじと掛止する複数の突片を設け、前記金属板の一側へ、下向直角の案内片を設けると共に、該案内片に、スプリング当接部と、前記金属板の上昇規制用の突起を設けたものであり、ねじ孔の突片は２〜４個とし、該突片をねじの回転挿入を容易にすべく螺旋状に配置したものである。
【００１１】
この発明によれば、締付金具は、１枚の金属板からプレス加工で成形できるので、簡単な型と、少ない加工工程により多量生産できる。この場合に、締付金具へねじをつける工程を加えると、組立治具が複雑になり、加工工程が増加し、自動装置が高価になるので、多量に生産しなければ、一個当りの価格を低廉にすることはできない。
【００１２】
一方端子台へ締付金具を組付けると共に、ねじを付ける装置は、従来使用しているねじ締め装置をそのまま使用できるので、ねじを後付けする為の費用は余分にかからない利点がある。前記における組立方法は、締付金具の形状構造が変化しても、効果に変りがないので、各種端子盤組立てに用いる同様の工程にそのまま応用することができる。
【００１３】
従来ねじを先付けにしていたのは、端子金具にねじを組付けると共に、ねじの脱落を防止する加工を施していたので、端子盤組立て時に、ねじが脱落するおそれがなかった。
【００１４】
然し乍ら、ねじを後付けにする場合には、ねじをつけてから、端子等を固定するまでの間（締付け前）はねじが自由に動く状態になっていたので、ねじの取付け後、締付けるまでの間にねじが外れるおそれがあった（その為にねじを先付けにしていた）。
【００１５】
そこでこの発明の場合には、ねじを組付け後は、脱落しないように突起（図２（ｂ））を設けるなどの工夫が必要となる。
【００１６】
前記組立方法を採用することにより、同型端子盤の１ロット宛の数量が比較的少ない場合であっても低コストで供給することができる。
【発明の効果】
【００１７】
この発明によれば、端子台へ締付金具を組付けた後、ねじを取り付けるので、一度の注文が少量であっても、その価格を著しく低減し得る効果がある。例えば、３０万個以上まとまれば１個５円以下の締付金具が、５万個以下では１個１０〜２０円になるというような価格変動を未然に防止し得る効果がある。
【００１８】
またこの発明の方法を実施しても、端子盤の組立作業は殆んど変化なく（ねじ締付装置が利用できるので）、従って価格が高騰するおそれがないなどの効果がある。
【００１９】
またこの発明の締付金具によれば、一旦螺合したねじは、ねじ孔の突片により外力により外れるおそれがないようにしたので、ねじの後付けにより、ねじの脱落を生じるおそれはない。
【発明を実施するための最良の形態】
【００２０】
この発明は、端子台にねじなしの締付金具を固定し、端子片などを全部組付けた後、ねじを螺入して端子盤を完成する。
【００２１】
この発明の締付金具は、座板の中央部にねじ孔を穿設し、ねじ孔の内壁部へねじの螺糸と掛止する複数の突起を、等間隔でかつねじの回転挿入を容易にすべく、螺旋状に配列する。従って前記突起により、ねじは容易に螺入したにも拘らず、外れるおそれはない。
【実施例１】
【００２２】
この発明を図１について説明すると、端子台１へ締付金具５、端子片３その他の金属類を組付け、ついでねじ４をねじ締付工具により締付金具５のねじ孔２ａに回転螺入するので、ねじ４の螺糸部４ａは突起２ｂに沿って螺入される。このようにしてねじ４の螺糸部４ａが突起２ｂを通過すると、突起２ｂが無螺糸部４ｂに入るので、ねじ４に上向きの外力が掛っても、ねじ４が抜けるおそれはない。
【００２３】
この実施例によれば、締付金具２の構造が複雑であっても（或いは簡単な構造でも）、多量生産して比較的低廉に供給できる。即ち、締付金具の製造時にねじを取付けることによる複雑な治具から解放され、自動生産できる。またねじの後付けはねじの締付装置が利用できるので、後付けによる組立コストの増加は殆んどない。
【００２４】
前記実施例において、締付金具５は、図４に示すように、スプリング９の弾力により矢示１２のように押し上げられている。またねじ４の螺入により、矢示１３のように下降する。
【００２５】
従って、端子具７を端子片３上へ容易に挿入することができる。ついで端子具７へねじ４を螺合すると、締付金具５の金属板２が端子具７の上面へ当接し、ねじ４のねじ込みにつれて締付けるので、端子具７と、端子片３の頂板とは押圧固定される。前記端子具７は、電線端の端子片又は電線裸線の場合もある。
【００２６】
前記案内片６の下部は締付金具の案内と、スプリング９に下圧作用を付与してねじ４が弛むと締付金具５を上昇させ、突起６ｂは、締付金具５の上昇限制御のストッパーとなる。
【実施例２】
【００２７】
この発明の締付金具５の実施例を図２について説明すると、方形の金属板２の中央部にねじ孔２ａを設け、該ねじ孔２ａの内壁に孤状の突起２ｂ４個を等間隔に突設する。前記金属板２の下面には、方形の各辺付近に、突条２ｃ、２ｃを設けると共に、金属板２の一側部へ、下向で直角に案内片６を設け、案内片６の中央部へ案内リブ６ａを設けると共に、案内片６の下部内側へ、端子台１に固定した端子片３の頂板３ａと掛止する突起６ｂを設け、締付金具５を構成した。
【００２８】
次に、前記案内片６の案内リブ６ａは、端子台１の一側に設けたスプリング孔８に収容したスプリング９と掛止できるようにしてある。図中１４は案内溝である。
【００２９】
前記実施例において、ねじ４は図３（ｂ）の矢示１０、１１のように、締付金具５へねじ４を取付ける。但し、締付金具５は端子台１に取付けてある。
【００３０】
前記のように、締付金具５を端子台１へ取付けてから、ねじ４を取付ける。即ち、締付金具５の製造時にはねじ４を取付ける必要がないので、容易に多量生産することができる。
【図面の簡単な説明】
【００３１】
【図１】この発明の組立実施例のブロック図。
【図２】（ａ）同じく締付金具の平面図、（ｂ）同じく正面図、（ｃ）同じく右側面図、（ｄ）同じく（ｂ）中Ａ−Ａ断面図、（ｅ）同じく底面図、（ｆ）同じく左側面図。
【図３】（ａ）同じく斜視図、（ｂ）同じく締付金具へねじを取付ける工程図。
【図４】同じく端子盤の断面図。
【符号の説明】
【００３２】
１  端子台
２  金属板
３  端子片
４  ねじ
５  締付金具
６  案内片
８  スプリング孔
９  スプリング
【図１】
2006338988.tif 000003
【図２】
2006338988.tif 000004
【図３】
2006338988.tif 000005
【図４】
2006338988.tif 000006